(57)【特許請求の範囲】
【請求項１】
表示部と入力部とを重ねて配置したタッチパネルを備え、
前記表示部に複数の選択対象画像が表示されている場合に、
前記入力部によって前記複数の選択対象画像の中から１つの選択対象画像がタップされた場合、
前記タップされた第１選択対象画像は拡大されて表示され、他の選択対象画像は縮小されて表示され、
前記タップされた第１選択対象画像及び他の選択対象画像は、次のタップ操作の待ち状態になり、
前記入力部によって前記第１選択対象画像が複数回タップされた場合に、
１回目のタップでは、前記第１選択対象画像が、他の選択対象画像の上に被さらないように拡大され、
２回目のタップでは、前記第１選択対象画像が、隣り合う他の選択対象画像の上に被さるように更に拡大されて表示されることを特徴とする情報処理端末。
【請求項２】
表示部と入力部とを重ねて配置したタッチパネルを備え、
前記表示部に複数の選択対象画像が表示されている場合に、
前記入力部によって前記複数の選択対象画像の中から１つの選択対象画像がタップされた場合、
前記タップされた第１選択対象画像は拡大されて表示され、他の選択対象画像は縮小されて表示され、
前記タップされた第１選択対象画像及び他の選択対象画像は、次のタップ操作の待ち状態になり、
前記入力部によって前記第１選択対象画像が連続してタップされた場合に、他の選択対象画像が表示されなくなるように、当該第１選択対象画像を前記表示領域の全体に拡大させることを特徴とする情報処理端末。
【請求項３】
表示部と入力部とを重ねて配置したタッチパネルを備え、
前記表示部に複数の選択対象画像が表示されている場合に、
前記入力部によって前記複数の選択対象画像の中から１つの選択対象画像がタップされた場合、
前記タップされた第１選択対象画像は拡大されて表示され、他の選択対象画像は縮小されて表示され、
前記タップされた第１選択対象画像及び他の選択対象画像は、次のタップ操作の待ち状態になり、
前記入力部によって前記第１選択対象画像以外のいずれか１つの第２選択対象画像がタップされた場合、当該タップされた第２選択対象画像と前記第１選択対象画像とを、同等の大きさに変更して前記表示領域に表示させることを特徴とする情報処理端末。
【請求項４】
表示部と入力部とを重ねて配置したタッチパネルを備え、
前記表示部は複数のアイコンが表示される表示領域を有し、
前記入力部によって前記複数のアイコンの中から１つのアイコンがタップされた場合、前記タップされた第１アイコンは拡大されて表示されている他のアイコンよりも大きく表示され、
前記タップされた第１アイコン及び他のアイコンは、次のタップ操作の待ち状態になり、
前記入力部によって前記第１アイコン以外のいずれか１つの第２アイコンがタップされた場合、当該タップされた第２アイコンと前記第１アイコンとを、同等の大きさに変更して前記表示領域に表示させ、
前記同等の大きさで表示されている第１および第２アイコンのうちいずれか一方のアイコンがタップされた場合、当該タップされたアイコンを他方のアイコンの上に被さるような態様で表示させることを特徴とする情報処理端末。
【請求項５】
前記アイコンどうしが被さる位置はあらかじめ設定できることを特徴とする請求項４に記載の情報処理端末。
【発明の詳細な説明】
【技術分野】
【０００１】
本発明は、情報処理端末に関し、特にタッチパネルを備えた情報処理端末に関する。
【背景技術】
【０００２】
操作部としてタッチパネル方式を採用している情報処理端末において、操作画面上に表示される、複数の選択対象物（以下「アイコン」と呼ぶ。）の中から、１つのアイコンを選択（以下「タップ」と呼ぶ。）した場合に、その被選択対象物を大きく表示するというユーザーインターフェースはよく知られているところである。
そのユーザーインターフェースは、タップされたアイコンが急に拡大表示されると、当該アイコンの周囲に位置する他のアイコンが隠れて、操作上の配慮に欠けることがあった。具体的には、操作間違いがあったときに、元の画面に戻す手間が煩わしいという問題があった。
そのような問題点に対して、特許文献１では、１回のタップをしただけでは、アイコンを急に拡大表示させずに、１つのアイコンに対して複数回のタップ動作をすることによって、そのアイコンを段階的に拡大させる技術を開示している。
【先行技術文献】
【特許文献】
【０００３】
【特許文献１】特開２０１４−１３４８６７号公報
【発明の概要】
【発明が解決しようとする課題】
【０００４】
しかし、特許文献１では、複数回のタップ動作は、アイコンの表示の態様のバリエーション化と関係付けられていないので、操作の利便性が必ずしも良いとは言えない場合があり、まだ改善の余地があった。
本発明は、かかる課題を解決し、タッチパネルを備えた情報処理端末の操作の利便性を向上させようとするものである。
【課題を解決するための手段】
【０００５】
この発明は、表示部と入力部とを重ねて配置したタッチパネルを備え、前記表示部は複数のアイコンが表示される表示領域を有し、前記入力部によって前記複数のアイコンの中から１つのアイコンがタップされた場合、前記タップされた第１アイコンは拡大されて表示されている他のアイコンよりも大きく表示され、前記タップされた第１アイコン及び他のアイコンは、次のタップ操作の待ち状態になることを特徴とする情報処理端末。を提供するものである。
これにより、１つのアイコンをタップしても当該アイコンのみが拡大表示され他のアイコンの表示は維持したままであり、かつ各アイコンは次のタップ操作を受けつける待ち状態になるので、操作が間違った場合でも、所望の動作に戻しやすく、操作性を向上できる。
【０００６】
また、前記入力部によって前記第１アイコンが連続してタップされた場合に、当該第１アイコンを前記表示領域のほぼ全域にまで拡大させることを特徴とする。
また、前記入力部によって前記第１アイコン以外のいずれか１つの第２アイコンがタップされた場合、当該タップされた第２アイコンと前記第１アイコンとを、同等の大きさに変更して前記表示領域に表示させることを特徴とする。
また、前記同等の大きさで表示されている第１および第２アイコンのうちいずれか一方のアイコンがタップされた場合、当該タップされたアイコンを他方のアイコンの上に被さるような態様で表示させることを特徴とする。
【発明の効果】
【０００７】
本発明によれば、１つのアイコンをタップした後に当該アイコンをいきなり拡大表示させずに、そのアイコンの拡大表示を維持した状態で、他のアイコンも選択する機会を与えるので、操作の利便性を向上させることができる。
また、１つのアイコンをタップして当該アイコンを拡大表示させた後に、他のアイコンをタップするとその２つのアイコンを拡大表示させるようにすること、さらにその表示された２つのアイコンの一方をタップすると、当該タップした一方のアイコンを他方のアイコン上に被さる形で表示させるようにすることにより、操作の利便性を向上させることができる。
【図面の簡単な説明】
【０００８】
【図１】本発明の実施の形態に係る情報処理端末の装置ブロック図である。
【図２】本発明のユーザーインターフェースの動作の具体例を示す図である。
【発明を実施するための形態】
【０００９】
（情報処理端末の構成）
図１に、本発明のユーザーインターフェースの採用対象となる情報処理端末の一実施例の装置ブロック図を示す。
図１の情報処理端末１００は、制御部１０１、記憶部１０２、タッチパネル１０３、入力部１０４、表示部１０５、入力制御部１０６、表示制御部１０７、操作ボタン１０８、操作制御部１０９、通信制御部１１０を有する。タッチパネル１０３は、表示部１０５と入力部１０４とを重ねて配置したものである。
なお、記憶部１０２は外付けであっても構わないし、通信機能が不要な端末の場合は通信制御部１１０はなくてもよい。
これらの各構成要素については出願当時の技術水準に基づいて所定の機能を実行し得るものであればいかなる内容でも構わないので、構成１つ１つの詳細な説明については省略する。
【００１０】
（ユーザーインターフェースの動作の説明）
以下に、本発明のユーザーインターフェースの動作のいくつかの実施例について、図２を参照して説明する。
ここでは理解の便宜のために、天気の種類を示すアイコンを用いて、「天気の変化」を示すケースについて説明する。より具体的には、表示部１０５の所定の表示領域上に、図２（ａ）に示すように、選択対象として複数（ここでは４つ）のアイコンが表示された状態から、（ｃ）「晴」、（ｄ）「晴と曇」、（ｅ）「晴ときどき曇」、（ｆ）「晴のち曇」の４つの内容を表示させるケースについて説明する。
【００１１】
＜第１の実施形態＞
図２（ａ）に示すように４つのアイコン（晴、曇、雨、雪）が表示されている場合において、ユーザが、「晴」アイコンに対して１度タップ（この処理を以後「第１タップ」と呼ぶ。）したとする。あるいは、第１タップでは、瞬間的に２度タップするダブルタップをしてもよい。
この場合、図２（ｂ）に示すように、「晴」アイコンを、他アイコンに比較してやや拡大して表示させる。
さらに、図２（ｂ）の状態において、再度連続して同じ「晴」アイコンをタップすると、他アイコンが表示されなくなるように、「晴」アイコンを表示領域全体に拡大し、「晴」アイコンのみを表示させる。
【００１２】
すなわち、この例では、アイコンを１度タップした場合、および瞬間的に２度タップ（いわゆるダブルタップ）しただけでは、当該アイコンを所定領域の全域に大きく表示するようなことはさせずに、やや拡大させるだけに留めている。
これにより、第１タップが誤動作かどうかを確認できる機会のみならず、最終的な表示内容に２種のアイコンが出てくる場合にどのアイコンに表示の重み付け（重要度の設定）をするかの機会を、ユーザに与えることができる。
また、図２（ａ）および図２（ｂ）の表示状態においては、次のタップ操作の待ち状態になる。
【００１３】
＜第２の実施形態＞
上記の第１タップ後の図２（ｂ）の状態から、「晴」アイコンではなく、「曇」アイコンを１度タップした場合、図２（ｄ）に示すように、表示画面上に、「晴」アイコンと「曇」アイコンのみを表示させる。
これにより、「晴と曇」が表示されることになる。
なお、この場合に図２（ｄ）に示すような対角線状のライン表示を行うかどうかは、ユーザが設定できるようにしてもよい。
【００１４】
＜第３の実施形態＞
上記の図２（ｄ）の状態から、「晴ときどき曇」を表示させたい場合、すなわち、「晴と曇」の表示状態から「晴」に重み付けを与えて表示したい場合には、「晴」アイコンをタップする。これにより、図２（ｅ）に示すように、「晴ときどき曇」を意味するアイコンが表示される。ここでは、タップされた「晴」のアイコンを、他のアイコン「曇」の上に被さるような態様で表示させる。
また、「晴のち曇」を表示させたい場合、すなわち「晴と曇」の表示状態から「曇」に重み付けを与えて表示したい場合には、「曇」アイコンをタップする。これにより、図２（ｆ）に示すように、「晴のち曇」を意味するアイコンが表示される。
ここでは、後でタップされた「曇」のアイコンを、他のアイコン「晴」の上に被さるような態様で表示させる。
なお、２つのアイコンどうしが被さる位置は、ユーザがあらかじめ設定できるようにしてもよい。
【００１５】
この実施形態では、第１タップの対象となるアイコンに係る内容が、最終表示内容の“主役”的な位置付けとなるように表示上のルール付けがなされている。
すなわち、現在利用されている天気情報は表示領域の左方側が“主役”になるのが通例なので、表示内容の“主役”扱いとなる第１タップ対象のアイコンは、左方側に位置するようにする。
この例とは逆に、「曇ときどき晴」、「曇のち晴」というように、「曇」を“主役”として表示させたいときは、第１タップの対象は「曇」アイコンとすればよい。
上記の実施例では天気情報を表示させるため、“主役”扱いとなる第１タップ対象のアイコンを左方側に位置するようにしたが、その表示ルールは、表示内容や目的に応じて変更することができる。
【符号の説明】
【００１６】
１０１  制御部、  １０２  記憶部、  １０３  タッチパネル、  １０４  入力部、  １０５  表示部、  １０６  入力制御部、  １０７  表示制御部、  １０８  操作ボタン、  １０９  操作制御部、  １１０  通信制御部
【図１】
0006622562.tif 000002
【図２】
0006622562.tif 000003